(57)【要約】【課題】サイズを大きくすることなく安定して球状の物品を保持しやすくする。【解決手段】物品保持ゲーム装置に設けられた保持機構の開閉可能なアーム２２ａ，２２ｂに装着される保持具２３ａ，２３ｂであって、アーム２２ａ，２２ｂが閉状態となる時にほぼ水平となりピンポン球２５（物品）を載置する平面部４３と、アーム２２ａ，２２ｂの開閉方向に対して垂直な方向の平面部４３の両側部に、平面部４３と一体化された部材を折り上げて形成した側面部４５ａ，４５ｂと、アーム２２ａ，２２ｂに対して固定するための取り付け部４０とを有し、平面部４３の先端中央部に円弧状の切り欠き４４を設ける。【選択図】図４
2019063056.tif 000002
【特許請求の範囲】
【請求項１】
少なくとも２本の開閉可能なアームを有する保持機構により球形の物品を保持する物品保持ゲーム装置であって、
前記アームの先端部に保持具を設け、
前記保持具は、
前記アームが閉状態となる時にほぼ水平となり前記物品を載置する平面部と、
前記アームの開閉方向に対して垂直な方向の前記平面部の両側部に、前記平面部と一体化された部材を折り上げて形成した側面部とを有し、
前記平面部の先端中央部に円弧状の切り欠きを設けた物品保持ゲーム装置。
【請求項２】
前記保持具は、前記アームに対して固定するための固定部を設け、前記アームに対して脱着可能に構成した請求項１記載の物品保持ゲーム装置。
【請求項３】
物品保持ゲーム装置に設けられた保持機構の開閉可能なアームに装着される保持具であって、
前記アームが閉状態となる時にほぼ水平となり物品を載置する平面部と、
前記アームの開閉方向に対して垂直な方向の前記平面部の両側部に、前記平面部と一体化された部材を折り上げて形成した側面部と、
前記アームに対して固定するための固定部とを有し、
前記平面部の先端中央部に円弧状の切り欠きを設けた保持具。
【発明の詳細な説明】
【技術分野】
【０００１】
本発明は、物品保持ゲーム装置、及び物品保持ゲーム装置に装着して使用される保持具に関する。
【背景技術】
【０００２】
アミューズメント施設等に設置されたクレーンゲーム装置（物品保持ゲーム装置）は、筐体内に設けられたフィールド内に景品等の物品を載置しておき、プレーヤの操作に応じて動作が制御されるクレーンアームにより景品を保持／移動できるように構成されている。プレーヤは、例えばボタン操作をすることによりクレーンアームを縦方向／横方向に移動させて、目標とする景品が載置された上方まで移動させて、クレーンアームに景品を掴む動作を実行させることができる。
【０００３】
クレーンアームによる景品を保持する動作としては、例えば２本のアームを開状態で景品等が載置された位置まで下降させた後、アームを閉状態にし、その後、上方に移動させることで実現される。
【先行技術文献】
【特許文献】
【０００４】
【特許文献１】特開２０１５−１５４号公報
【発明の概要】
【発明が解決しようとする課題】
【０００５】
従来のクレーンゲーム装置では、景品を保持し易くするため、アーム先端部に景品に応じた形状にしたものがある。例えば、ピンポン球などの球状の物品を確実に保持できるようにするためには、アームを閉状態にした時に物品が載置される平面部を広くした、サイズの大きな保持具を設けたり、載置された物品が落下しないにように保持具に載置された物品を覆うような囲いを設けたりした保持具が考えられている。
【０００６】
しかしながら、サイズの大きな保持具を設けたり、囲いなどの構造物を有する保持具を設けたりすると、ゲーム実行中にゲーム空間内に設けられた内装部品やゲーム構造物等に接触するなどして、ゲームに支障が発生するおそれがある。単に、保持具のサイズを小さくすると、アームを閉動作させた際にスムーズに物品が保持部の平面部に誘導されず、安定して物品を保持させることができない。
【０００７】
本発明は前述した事情に考慮してなされたもので、その目的は、サイズを大きくすることなく安定して球状の物品を保持しやすくした物品保持ゲーム装置、及び保持具を提供することにある。
【課題を解決するための手段】
【０００８】
上記の課題を解決するために、本発明は、少なくとも２本の開閉可能なアームを有する保持機構により球形の物品を保持する物品保持ゲーム装置であって、前記アームの先端部に保持具を設け、前記保持具は、前記アームが閉状態となる時にほぼ水平となり前記物品を載置する平面部と、前記アームの開閉方向に対して垂直な方向の前記平面部の両側部に、前記平面部と一体化された部材を折り上げて形成した側面部とを有し、前記平面部の先端中央部に円弧状の切り欠きを設ける。
【発明の効果】
【０００９】
本発明によれば、サイズを大きくすることなく安定して球状の物品を保持しやすくした物品保持ゲーム装置、及び保持具を提供することができる。
【図面の簡単な説明】
【００１０】
【図１】本実施形態における物品保持ゲーム装置１０の外観構成を示す斜視図。
【図２】本実施形態におけるクレーンアーム２０の外観を示す側面図。
【図３】本実施形態におけるクレーンアーム２０の外観を示す側面図。
【図４】本実施形態におけるアーム２２ａ，２２ｂに装着された保持具２３ａ，２３ｂの一例を示す斜視図。
【図５】ねじ穴４１ａ，４１ｂに、ねじ４６ａ，４６ｂがそれぞれ装着された状態を示す側面図。
【発明を実施するための形態】
【００１１】
以下、図面を参照して本発明の実施の形態について説明する。  
図１は、本実施形態における物品保持ゲーム装置１０の外観構成を示す斜視図である。物品保持ゲーム装置１０は、下部筐体１２と上部筐体１３により構成されている。上部筐体１３は、周囲が透明アクリル板などにより形成された透明板により覆われており、外部から筐体内部に設けられたゲーム空間１４の様子を視認することができる。
【００１２】
ゲーム空間１４の上部には、クレーンアーム（保持機構）２０をゲーム空間１４内で移動させるための搬送機構（図示せず）が設けられる。搬送機構は、クレーンアーム２０を縦方向及び横方向に移動させ、クレーンアーム２０の本体部を上下方向に移動させる。
【００１３】
クレーンアーム２０は、本体部の両側面から伸びる、例えば２本の屈曲したアーム２２ａ，２２ｂが設けられている。アーム２２ａ，２２ｂの先端には、物品の保持を容易にするための保持具（図２〜図５参照）が設けられている。
【００１４】
本実施形態における物品保持ゲーム装置１０は、ゲームフィールド１５に鉢状収容器２４と物品収容器２６を載置し、鉢状収容器２４に収容された複数の物品、ここではピンポン球２５を、クレーンアーム２０を使用して物品収容器２６に移動させるゲームを提供する。鉢状収容器２４に収容される物品は、ピンポン玉２５に限られるものではなく、棒が付けられた球状の飴、高反発ゴム製のボールなどを用いることができる。
【００１５】
物品収容器２６の上面には、ピンポン球２５の形状と一致させた複数の凹部が形成されている。鉢状収容器２４のピンポン球２５がクレーンアーム２０によって保持され、物品収容器２６の上部まで移動された後、アーム２２ａ，２２ｂが開かれることで、ピンポン球２５が物品収容器２６に落下する。ピンポン球２５は、物品収容器２６の上で跳ねたり、物品収容器２６の周囲に配置された網部材２７により跳ね返されたりすることで、ランダムに何れかの凹部に収容される。
【００１６】
物品保持ゲーム装置１０は、物品収容器２６の予め決められた凹部にピンポン球２５が入った場合に、ゲームフィールド１５の開閉板２８に載置された景品２９を払い出す。開閉板２８が設けられた開口部は、下部筐体内で下部筐体前面に設けられた景品取出し口３０とつながっている。このため、開閉板２８が開状態にされることで、開閉板２８に載置された景品２９が景品取出し口３０の近くまで搬送される。
【００１７】
物品保持ゲーム装置１０の前面部には、操作テーブル３１が設けられている。操作テーブルには、例えば操作ボタン３２ａ，３２ｂ、メダル挿入口３３、表示器３４が設けられている。
【００１８】
物品保持ゲーム装置１０は、メダル挿入口３３からメダルが投入されると表示器３４に投入枚数を表示する。ゲームに必要なメダルが投入されると、物品保持ゲーム装置１０は、ゲームを実行可能にする。なお、物品保持ゲーム装置１０は、メダルの投入によってゲームを実行可能にするだけでなく、カードリーダ／ライタ（図示せず）を通じてクレジットカードや電子マネーカードによる支払い、硬貨の投入などによってゲームを実行可能にしても良い。
【００１９】
ゲームを開始すると、物品保持ゲーム装置１０は、操作ボタン３２ａ，３２ｂに対する操作に応じてクレーンアーム２０の動作を制御する。例えば、操作ボタン３２ａが操作されるとクレーンアーム２０を横方向に移動させ、操作ボタン３２ｂが操作されるとクレーンアーム２０を縦方向に移動させる。操作ボタン３２ｂによりクレーンアーム２０が位置決めされると、クレーンアーム２０を鉢状収容器２４の高さまで下降させ、アーム２２ａ，２２ｂにより物品を掴む動作（開状態から閉状態にする動作）をさせた後、クレーンアーム２０を上昇させる。その後、物品保持ゲーム装置１０は、クレーンアーム２０を物品収容器２６の上部まで移動させて、アーム２２ａ，２２ｂを開状態にさせる。アーム２２ａ，２２ｂによってピンポン球２５が保持されていれば、物品収容器２６にピンポン球２５が落下される。なお、クレーンアーム２０に対する操作は、例えば、予め設定された制限時間であれば、複数回繰り返して実行可能とする。
【００２０】
図２及び図３は、本実施形態におけるクレーンアーム２０の外観を示す側面図である。  
クレーンアーム２０には、クレーンアーム２０の本体部から伸びる２本のアーム２２ａ，２２ｂが設けられている。本体部には、アーム２２ａ，２２ｂを開閉するための開閉機構が設けられている。アーム２２ａ，２２ｂの先端部には、ピンポン球２５の保持を容易にするための保持具２３ａ，２３ｂがそれぞれ設けられている。保持具２３ａ，２３ｂは、例えばアルミニウム合金等の材料により構成される。
【００２１】
図３に示すように、クレーンアーム２０は、アーム２２ａ，２２ｂを閉状態にした時、保持具２３ａ，２３ｂの先端部の高さを僅かにずらすようにしている。これは、アーム２２ａ，２２ｂを閉状態にした時に、２つの保持具２３ａ，２３ｂが重なり合い、両者が離れなくなることを防ぐためである。
【００２２】
図４は、本実施形態におけるアーム２２ａ，２２ｂに装着された保持具２３ａ，２３ｂの一例を示す斜視図である。図４は、アーム２２ａ，２２ｂが閉状態にされて、ピンポン球２５が保持されている状態を示している。ここでは、アーム２２ａに装着された保持具２３ａについて説明する。保持具２３ｂは、保持具２３ａと同様の構成を有するものとして説明を省略する。
【００２３】
保持具２３ａは、図４に示すように、アーム２２ａに固定するための平面状の取り付け部４０（固定部）、取り付け部４０に対して所定の角度で屈曲させて形成された平面部４３、平面部４３の両側部を屈曲させて形成された側面部４５ａ，４５ｂを有している。
【００２４】
取り付け部４０には、例えば２つのねじ穴４１ａ，４１ｂが設けられている（図４では、ねじの記載を省略している）。図５は、ねじ穴４１ａ，４１ｂに、ねじ４６ａ，４６ｂがそれぞれ装着された状態を示す側面図である。図５に示すように、ねじ４６ａ，４６ｂをねじ穴４１ａ，４１ｂに貫通させ、アーム２２ａに設けられたねじ穴（図示せず）にねじ止めすることで、保持具２３ａをアーム２２ａに固定することができる。また、ねじ４６ａ，４６ｂは、取り外し可能である。これにより、保持具２３ａをアーム２２ａに対して脱着可能にすることができる。
【００２５】
平面部４３は、ピンポン球２５（物品）を載置するために形成されている。平面部４３は、図４に示すように、アーム２２ａ，２２ｂが閉状態にされた時に、ほぼ水平となるように、取り付け部４０に対して所定の角度で屈曲させることで形成される。平面部４３の幅（アーム２２ａの開閉方向に対して垂直な方向）は、ピンポン球２５の直径より短くなるように形成される。
【００２６】
側面部４５ａ，４５ｂは、アーム２２ａの開閉方向に対して垂直な方向の平面部４３の両側部に、平面部４３と一体化された部材を折り上げて形成される。側面部４５ａ，４５ｂは、側面部４５ａ，４５ｂの下端部間の長さ（平面部４３の幅長）より、側面部４５ａ，４５ｂの上端部間の長さの方が大きくなるように屈曲される。すなわち、側面部４５ａ，４５ｂは、上方向に開口するように形成される。これにより、平面部４３の幅がピンポン球２５の直径より短くても、ピンポン球２５が球状であるため、ピンポン球２５を平面部４３に載置させることができる。これにより、保持具２３ａによりピンポン球２５を保持可能にすると共に幅サイズを小さくしている。これにより、保持具２３ａの全体サイズが小さくなるので、ゲーム実行中にクレーンアーム２０の移動、あるいはアーム２２ａ，２２ｂの開閉動作をした際に、ゲーム空間内に設けられた内装部品やゲーム構造物等に接触しにくくすることができる。
【００２７】
また、側面部４５ａ，４５ｂは、平面部４３と一体化された部材を折り上げて、後端部を取り付け部４０と密着させている。これにより、取り付け部４０と側面部４５ａ，４５ｂとの間に隙間ができないようにして、クレーンアーム２０の移動、あるいはアーム２２ａ，２２ｂの開閉動作によって、ゲーム空間内に設けられた内装部品等に引っ掛かるといったことが発生しない。
【００２８】
さらに、平面部４３の先端（アーム２２ａの開閉方向の端部）の中央部には、ピンポン球２５の形状に合わせた円弧状の切り欠き４４が形成されている。クレーンアーム２０によって鉢状収容器２４に載置されたピンポン球２５を保持させる場合、積載された複数のピンポン球２５に対してアーム２２ａ，２２ｂを閉動作させる。この時、平面部４３の先端がピンポン球２５に接触すると、ピンポン球２５の外周面が曲面であることから、円弧状の切り欠き４４に誘導されて密着し易い。そして、ピンポン球２５と切り欠き４４とが密着された状態で、アーム２２ａ，２２ｂが閉動作されることで、２つの保持具２３ａ，２３ｂの切り欠き４４によって平面部４３の中央に保持されたまま、安定した状態で平面部４３の上に押し上げられる。この結果、図４に示すように、２つの保持具２３ａ，２３ｂの平面部４３にピンポン球２５が保持される。
【００２９】
また、図３に示すように、保持具２３ａ，２３ｂとの高さがずれていたとしても、平面部４３に載置された状態において、２つの保持具２３ａ，２３ｂの切り欠き４４がピンポン球２５に接触し、ピンポン球２５を中央辺りで保持する。これにより、ピンポン球２５を安定した状態で保持することができる。
【００３０】
なお、前述した説明では、クレーンアーム２０には２つのアーム２２ａ，２２ｂが設けられている例を用いているが、３つ以上のアームが設けられていても良い。また、保持具２３ａ，２３ｂは、保持対象とする物品のサイズや形状に応じて形成され、平面部４３の先端に設けられる切り欠き４４も円弧状に限らず、物品の外形に合わせた円弧以外の形状により形成しても良い。
【００３１】
また、保持具２３ａ，２３ｂをアーム２２ａ，２２ｂに対して脱着可能に構成するとしているが、一体化して構成することも可能である。
【００３２】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００３３】
２０…クレーンアーム、２２ａ，２２ｂ…アーム、２３ａ，２３ｂ…保持具、２４…鉢状収容器、２５…ピンポン球（物品）、２６…物品収容器、２７…網部材、４０…取り付け部、４１ａ，４１ｂ…ねじ穴、４３…平面部、４５ａ，４５ｂ…側面部、４４…切り欠き、４６ａ，４６ｂ…ねじ。
【図１】
2019063056.tif 000003
【図２】
2019063056.tif 000004
【図３】
2019063056.tif 000005
【図４】
2019063056.tif 000006
【図５】
2019063056.tif 000007